(57)【要約】      （修正有）【課題】壁面に設けられた吐出口から吐出される流体の流量の好適な測定を可能とする流量計測装置を提供する。【解決手段】壁面に設けられた吐出口から吐出される流体の流量を測定するための流量計測装置であって、吐出口に連結される筒形フリューム本体１と、筒形フリューム本体を支持する状態で壁面に固定される支持体２と、筒形フリューム本体内の水位を検出する水位検出器を有する流量計とを具備する。筒形フリューム本体は、内周が流入端側から流出端側に向かうに従って順次縮径し、流入端３の下部は半円形であり、流量計測断面としての流出端４は卵形に形成されている。【選択図】図１
0003212479.tif 000002
【実用新案登録請求の範囲】
【請求項１】
壁面に設けられた吐出口から吐出される流体の流量を測定するための流量計測装置であって、
前記吐出口に連結される筒形フリューム本体と、
該筒形フリューム本体を支持する状態で前記壁面に固定される支持体と、
前記筒形フリューム本体内の水位を検出する水位検出器を有する流量計とを具備したことを特徴とする流量計測装置。
【請求項２】
前記筒形フリューム本体は、内周が流入端側から流出端側に向かうに従って順次縮径し、流入端の下部は半円形であり、流量計測断面としての流出端は卵形に形成されている請求項１に記載の流量計測装置。
【考案の詳細な説明】
【技術分野】
【０００１】
本考案は、例えば、吐出管からマンホール内、用排水路、河川、港湾・湖沼等へ流出する流体の流量を計測するための流量計測装置に関し、特にコンクリート構造物の壁面に開口する吐出口を有する吐出管内を流れる流体の流量計測に用いて好適な流量計測装置に関する。
【背景技術】
【０００２】
例えば大雨の後、地下の雨水管５１を流れる水の量が増え、その水位が所定よりも高くなると、オーバーフローにより、あるいは図外のポンプが自動的に作動して、雨水管５１内を流れる水が暗渠５２を通って近くの河川５３に放水される仕組みが公知である（図４参照）。
【考案の概要】
【考案が解決しようとする課題】
【０００３】
しかし、上記のように河川５３に放水される水の流量を好適に計測するための技術は知られていない。このことは、河川に限らず、マンホール内、用排水路、港湾・湖沼等に存在する壁面（岸壁）に設けられた吐出口から吐出される流体の流量計測についても同様である。
【０００４】
本考案は上述の事柄に留意してなされたもので、その目的は、壁面に設けられた吐出口から吐出される流体の流量の好適な測定を可能とする流量計測装置を提供することにある。
【課題を解決するための手段】
【０００５】
上記目的を達成するために、本考案に係る流量計測装置は、壁面に設けられた吐出口から吐出される流体の流量を測定するための流量計測装置であって、前記吐出口に連結される筒形フリューム本体と、該筒形フリューム本体を支持する状態で前記壁面に固定される支持体と、前記筒形フリューム本体内の水位を検出する水位検出器を有する流量計とを具備した（請求項１）。
【０００６】
上記流量計測装置において、前記筒形フリューム本体は、内周が流入端側から流出端側に向かうに従って順次縮径し、流入端の下部は半円形であり、流量計測断面としての流出端は卵形に形成されていてもよい（請求項２）。
【考案の効果】
【０００７】
本願考案では、壁面に設けられた吐出口から吐出される流体の流量の好適な測定を可能とする流量計測装置が得られる。
【０００８】
すなわち、本願の各請求項に係る考案の流量計測装置は、壁面に設けられた吐出口に筒形フリューム本体を連結するように設置することにより、筒形フリューム本体内を流れる流体の流量を簡便かつ好適に計測することができる。
【図面の簡単な説明】
【０００９】
【図１】本考案の一実施の形態に係る流量計測装置の構成を概略的に示す斜視図である。
【図２】前記流量計測装置の構成を概略的に示す分解斜視図である。
【図３】（Ａ）〜（Ｃ）は、前記流量計測装置の構成を概略的に示す平面図、正面図及び側面図である。
【図４】前記流量計測装置が設置される壁面の構成を概略的に示す説明図である。
【考案を実施するための形態】
【００１０】
本考案の実施の形態について図面を参照しながら以下に説明する。
【００１１】
本実施の形態に係る流量計測装置は、例えば図４に示す河川５３に臨む（あるいは河川５３を構成する）壁面Ｗに設けられた吐出口Ｗ１から吐出される流体の流量を計測するためのものであり、吐出口Ｗ１に連結される筒形フリューム本体１と、筒形フリューム本体１を支持する状態で壁面Ｗ１に固定される支持体２と、筒形フリューム本体１内の水位を検出する水位検出器を有する流量計（図示していない）とを具備している。
【００１２】
筒形フリューム本体１は、図２に示すように、内周が流入端３側から流出端４側に向かうに従って順次縮径し、流入端３の下部は半円形であり、流量計測断面としての流出端４は卵形に形成されている。すなわち、流出端４が流水の絞り部位として機能する結果、流水を当該部位へ導くと、この絞り部位で限界水深（流速）が生じ、当該絞り部位の水路下流からの影響を受けにくくなるので、筒形フリューム本体１内の水深と流速には一定の関数関係が生じ、この筒形フリューム本体１内の水深を計ることにより、筒形フリューム本体１内を流れる水の流量が好適に計測されることになる。
【００１３】
特に、筒形フリューム本体１の流出端４が流量計測断面として逆卵形に縮径されていることによって、小流量時の水深が大きく、早い流速が得られ、汚物の掃流力が的確に確保され、また、より正確な計測が可能になる点で、円形や楕円形に比べて遥かに有利に用いられる。
【００１４】
因みに、本実施例において、逆卵形とは、図３（Ｂ）に示すように、断面形状において、半円弧状に形成された大径の上縁部４ａと劣弧状に形成された小径の下縁部４ｂの両端部間が円弧状の側縁部４ｃで接続されて長軸を上下方向に向けて形成された形状をいう。また、その寸法は、正面において、上縁部４ａを半径Ｒの半円の弧（中心角１８０°の弧）とすれば、下縁部４ｂは半径０．５９Ｒの４分の１円の弧（中心角９０°の弧）、更に左右の側縁部４ｃは半径２Ｒの８分の１円の弧（中心角４５°の弧）となるように構成されている。以上の寸法は適用される吐出口Ｗ１を下流部に有する吐出管（本例では暗渠５２）の直径の大小によって、最も望ましい寸法のものが適宜に選択される。
【００１５】
一方、本実施例では、筒形フリューム本体１の流入端３は、図３（Ｂ）に示すように、正面視が縦長のトラック形状（上下に二分した円の両端どうしを直線で結んだ形状）を呈する。
【００１６】
支持体２は、図１〜図３に示すように、筒形フリューム本体１を挟み込む状態で保持するように構成された取付支持板５及びフリュームカバー６を有する。取付支持板５及びフリュームカバー６に設けられた組立用ボルト孔７にボルト（図示していない）を差し込みナット（図示していない）に締め付けることにより、個別に製造された筒形フリューム本体１、取付支持板５及びフリュームカバー６を一体化した組立体８とすることができ、取付支持板５及びフリュームカバー６に設けられた取付用ボルト孔９にアンカーボルト（図示していない）を差し込むことにより、組立体８を壁面Ｗに取り付けることができる。
【００１７】
ここで、取付支持板５は、組立体８を壁面Ｗに支持するためのものであり、フリュームカバー６は吐出先（放流先）の流水の影響から筒形フリューム本体１を防護するためのものである。
【００１８】
吐出口Ｗ１からの流体が筒形フリューム本体１内を通ってその下流側に吐出されるのを妨げないように、取付支持板５には円形開口５ａ、フリュームカバー６には逆卵形開口６ａがそれぞれ設けられている。
【００１９】
また、図３（Ｃ）に示すように、取付支持板５の裏面側には止水用のパッキン１０が配され、漏水防止を図っている。なお、こうした止水処理は、上記の箇所に限らず、必要な箇所に適宜行えばよい。
【００２０】
本実施例で用いる流量計は、水位検出器の他、この水位検出器からの信号に基づいて流量を求める等の演算処理を行う演算処理装置、演算結果等を表示する表示部、水位や流量等のデータを記録する電子記録装置、任意のデータを外部と送受信する通信装置及び電源を具備している。
【００２１】
ここで、水位検出器には、例えば圧力式、超音波式があり、何れを用いるかは吐出物の状態により選択すればよく、本実施例では、投げ込み式の圧力チップを用いるのであり、そのため、フリュームカバー６には、圧力チップを収納するための筒部１１（図１〜図３参照）が設けられ、詳細は図示しないが、この筒部１１は、筒形フリューム本体１内と連通するように構成されている。
【００２２】
以上のように構成された流量計測装置では、壁面Ｗの吐水口Ｗ１から筒形フリューム本体１内に至った流体は、流入端３から流出端４へと流れ、射流となり、このとき、逆卵形の流出端４が流れの絞りとして働き、当該部位で限界水深が生じ、下流からの影響をうけなくなるので、筒形フリューム本体１内の水深と流速は一定の関数関係を持つようになる。従って、この水深を流量計の水位検出器で検出することにより、簡便に筒形フリューム本体１内を流れる流体の流量を計測することができる。
【００２３】
特に筒形フリューム本体１の流出端４の逆卵形形状は、流量が少ない時でも水深が大きく、夾雑物の掃流力が確保され、一層正確な流量の測定に資する。更に、流出端４よりも下流側に至った水は流れ落ちるのみであるので、筒形フリューム本体１の流出端４側に夾雑物が堆積して背水を引き起こし計測水位に悪影響が生じるおそれを上手く解消することができ、吐出口Ｗ１の上流側の水嵩が上がることや、吐出口Ｗ１を下流部に有する吐出管の通水能力が妨げられることを防止して、正確な流量の測定を期待することができる。
【００２４】
なお、本考案は、上記の実施の形態に何ら限定されず、本考案の要旨を逸脱しない範囲において種々に変形して実施し得ることは勿論である。例えば、以下のような変形例を挙げることができる。
【００２５】
上記実施例の流量計測装置は、河川５３に設置されるものであるが、これに限らず、マンホール内、用排水路、港湾・湖沼等に存在する壁面（岸壁）に設けられた吐出口から吐出される流体の流量計測に用いることもでき、例えば、マンホール内吐出口における汚水量計測や、緊急連絡管吐出口における雨天時越流水量計測等にも適用可能である。
【００２６】
そして、筒形フリューム本体１、取付支持板５、フリュームカバー６等は、用途に応じた強度、耐久性が得られる金属等の材料で製造すればよい。また、これらの部材１，５，６を一体化して組立体８を得るに際しては、上記ボルト・ナットによる締付けに限らず、例えば溶接等の接合によって行ってもよいのはもちろんである。
【００２７】
また、壁面Ｗに設けられる吐出口Ｗ１にも種々の形態が考えられ、上記実施例における吐出口Ｗ１は壁面Ｗの外に突出しないタイプのものであるが、壁面Ｗの外に突出するタイプの吐出口Ｗ１に本考案の流量計測装置を適用することもできる。すなわち、吐出口Ｗ１（吐出管）の壁外への突出量が比較的小さければ、その突出部分が筒形フリューム本体１内に差し込まれた状態となるように流量計測装置を設置すればよく、その突出部分の突出量が大きかったり、突出部分が下側に向かって湾曲していたりするような場合には、その突出部分を適宜に切断すればよい。
【００２８】
流量計は、その全部が組立体８に装着されるものであってもよいし、例えば演算処理装置や表示部を備えた本体部分は、組立体８から離して据え置かれるタイプでも良く、また必要に応じて現場へ持ち運びする可搬式であっても良い。
【００２９】
なお、上記変形例どうしを適宜組み合わせてもよいことはいうまでもない。
【符号の説明】
【００３０】
１    筒形フリューム本体
２    支持体
３    流入端
４    流出端
４ａ  上縁部
４ｂ  下縁部
４ｃ  側縁部
５    取付支持板
５ａ  円形開口
６    フリュームカバー
６ａ  逆卵形開口
７    組立用ボルト孔
８    組立体
９    取付用ボルト孔
１０    パッキン
１１    筒部
５１    雨水管
５２    暗渠
５３    河川
Ｗ    壁面
Ｗ１  吐水口
【図１】
0003212479.tif 000003
【図２】
0003212479.tif 000004
【図３】
0003212479.tif 000005
【図４】
0003212479.tif 000006